(57)【要約】      （修正有）【課題】  トランスポートストリーム多重化装置であって、伝送路の障害などによりビットレートが変動してもトランスポートストリームが破錠しないように制御し、受信状態の速やかな復帰が可能なトランスポートストリーム多重化装置を提供する。【解決手段】  トランスポートストリーム多重化装置において、入力トランスポートストリームよりパケットの種類を検出するパケット種別判定部１と、入力トランスポートストリームから特定パケットを廃棄して出力するパケット廃棄制御部５と、パケット廃棄制御部５の出力を一時的に保持するバッファメモリ部７と、バッファメモリ部７の蓄積量を監視するバッファメモリ監視部６と、バッファメモリ部７の出力を多重化する多重化制御部９とを含み、パケット種別判定部１とバッファメモリ監視部６との出力により、パケット廃棄制御部５を制御するトランスポートストリーム多重化装置である。【選択図】  図１
2005136460.tif 000002
【特許請求の範囲】
【請求項１】
複数のパケットを多重化して伝送するトランスポートストリーム多重化装置において、
入力トランスポートストリームよりパケットの種類を検出するパケット種別判定部と、
該入力トランスポートストリームから特定パケットを廃棄して出力するパケット廃棄制
御部と、
該パケット廃棄制御部の出力を一時的に保持するバッファメモリ部と、
該バッファメモリ部の蓄積量を監視する記憶容量監視部と、
該バッファメモリ部の出力を多重化する多重化制御部とを含み、
前記パケット種別判定部と前記記憶容量監視部との出力によって、前記パケット廃棄制
御部により前記特定パケットを廃棄するか否かを制御することを特徴とするトランスポー
トストリーム多重化装置。
【請求項２】
前記パケット廃棄制御部は、前記記憶容量監視部による前記バッファメモリ部の蓄積量或
いは残容量に応じて、受信機側での再生に支障を与えない特定パケットを該入力トランス
ポートストリームから廃棄することを特徴とする請求項１に記載のトランスポートストリ
ーム多重化装置。
【請求項３】
前記パケット種別判定部は、パケット識別子によりパケットの重要度を識別する手段であ
ることを特徴とする請求項１または２に記載のトランスポートストリーム多重化装置。
【発明の詳細な説明】
【技術分野】
【０００１】
本発明は、複数の映像信号または音声信号等を符号化処理して得られたトランスポートストリーム信号を多重化伝送するトランスポートストリーム多重化装置に関するものである。
【背景技術】
【０００２】
デジタル放送では、番組を構成する映像、音声、その他のデータの一つ以上のエレメンタリストリームを多重化した単一番組トランスポートストリームをさらに複数多重化し、複数番組トランスポートストリーム（ＭＰＴＳ）として送信する多重化装置がある。受信側では、複数番組トランスポートストリームから複数の単一番組トランスポートストリームを分離処理して取り出している。
【０００３】
ＩＴＵ勧告Ｈ．２２２．０｜ＩＳＯ／ＩＥＣ１３８１８−１（Ｓｙｓｔｅｍｓ）に従うＭＰＥＧ方式のトランスポートストリーム（ＴＳ：Ｔｒａｎｓｐｏｒｔ  Ｓｔｒｅａｍ）には、映像、音声、その他のデータの番組を構成するエレメンタリストリーム（ＥＳ：Ｅｌｅｍｅｎｔａｒｙ  Ｓｔｒｅａｍ）に加え、ＰＳＩ（Ｐｒｏｇｒａｍ  Ｓｐｅｃｉｆｉｃ  Ｉｎｆｏｒｍａｔｉｏｎ）と呼ばれる多くのチャンネルや番組の選局時等に必要な番組特定情報が含まれている。
【０００４】
トランスポートストリームには、エレメンタリストリームやＰＳＩなどの情報が１８８バイトの固定長のパケットに分割され多重化されている。トランスポートストリームを構成するパケットは、そのヘッダ（４バイト）にＰＩＤ（Ｐａｃｋｅｔ  Ｉｄｅｎｔｉｆｉｃａｔｉｏｎ：パケット識別子）と呼ばれる１３ビットのフィールド（０ｘ００００〜０ｘ１ＦＦＦ）を有し、このフィールドにはパケットの内容を識別するパケット識別子が格納されている。ＰＩＤは、ペイロードに格納された内容を識別するための情報であって、例えば、映像か音声かなどといった情報はＰＳＩ（番組特定情報）に含まれている。受信側では、この番組特定情報を取得して、複数番組ＴＳから番組毎の単一番組ＴＳのパケットを選択することができる。
【０００５】
送信側の多重化装置では、入力される全てあるいは一部のＴＳを多重するが、出力ＴＳのビットレートは被多重化ＴＳの合計以上のビットレートになる。この出力ビットレートは伝送路により制限される場合もある。例えば、伝送路にあわせて固定ビットレートで出力する場合には、被多重化ＴＳの合計が伝送路で必要とするビットレートに満たなければ、ＰＩＤが「０ｘ１ＦＦＦ」のヌルパケットを生成して挿入することでビットレートを調整するようにしている。
【０００６】
受信側の多重分離装置は入力ＴＳから所望のＴＳを取り出して出力する。出力ビットレートは所望のＴＳの合計以上のビットレートになる。多重分離装置の出力端に接続される復調装置の仕様（能力）にあわせて制限される場合もある。固定ビットレートで出力する多重化分離装置では、分離したＴＳの合計が復号装置で必要とするビットレートに満たなければ、ヌルパケットを挿入してビットレートを調整することができる。
【０００７】
送信側の多重化装置について、図２を参照して説明する。単一番組の入力ＴＳがパケット廃棄制御部１１に入力されて、その出力がバッファメモリ部１２に一時蓄積されて多重化制御部１３からの要求に応じてバッファメモリ部１２から読み出されて出力ＴＳとして出力され、複数の単一番組を多重化しており、出力ビットレートの調整のためのヌルパケット生成部１５を備えている。このような装置によって、複数の番組のＴＳを多重化する際、あるパケットが出力されている間は他のパケットがバッファメモリ部７に蓄えられるが、他の装置の故障、伝送路における障害や装置の操作ミスなどにより、入力ＴＳのビットレートが大きく変動したり、多重化装置のバッファメモリ容量に余裕がない場合などには、バッファメモリ部１２の容量が溢れ（オーバーフロー）正常な多重化処理ができなくなる可能性がある。このような場合、バッファメモリ部１２が溢れる前にパケットを廃棄するなどの処理を、バッファメモリ監視部１４からの情報に基づいてパケット廃棄制御部１１で廃棄することで多重化処理の破錠を回避するようにしている。（例えば、特許文献１を参照）
【０００８】
【特許文献１】特開２００３−２８３５９１号公報（明細書全文，図面全図）
【発明の開示】
【発明が解決しようとする課題】
【０００９】
上記従来例のＴＳ多重化装置では、バッファメモリ監視部１４によりバッファメモリ部１２の上限を越えたか否かを監視しており、パケット廃棄制御部１１では、バッファメモリ部１２の蓄積量の上限を超えたと判断した場合にパケットの破棄を行い、上限を超えない場合には廃棄を行わないように制御している。しかしながら、映像や音声または番組特定情報が含まれるＰＳＩなどのパケットまでが廃棄されるならば、出力ＴＳが一時的に停止したり、不連続になるといった異常が発生することは避けられない。このような複数番組トランスポートストリーム（ＭＰＴＳ）が送出されたとすると、受信装置では映像や音声の再生が正常に行えずノイズ、フリーズ、停止などの障害が発生することになる。さらに、そのような障害が発生した場合であっても、受信装置が正常に再生し得るように速やかに復帰できることが望まれる。
【００１０】
パケット廃棄制御部１１では、初めにＰＩＤが「０ｘ００００」のＰＡＴが含まれるパケットを取得して解析してＰＭＴのＰＩＤを得る。ＰＭＴのＰＩＤのパケットを取得解析して、ＰＣＲ（受信機側時刻参照値，基準クロック）ＰＩＤ、映像ＰＩＤ、音声ＰＩＤなどを得ており、複雑である欠点があった。因みに、ＰＳＩ（番組特定情報）にはＰＡＴ（Ｐｒｏｇｒａｍ  Ａｓｓｏｃｉａｔｉｏｎ  Ｔａｂｌｅ：ＰＭＴなどを伝送するＴＳパケットを特定するためのテーブル）やＰＭＴ（Ｐｒｏｇｒａｍ  Ｍａｐ  Ｔａｂｌｅ：映像、音声、データなどのストリームを伝送するＴＳパケットを特定するテーブル）がある。
【００１１】
本発明は、上記のような課題に鑑みなされたものであって、バッファメモリを使用したトランスポートストリームの多重化装置であって、伝送路の障害などによりビットレートが変動したとしても、トランスポートストリームが破錠しないように制御して障害を抑えるとともに、受信状態の速やかな復帰が可能なトランスポートストリーム多重化装置を提供することを目的とするものである。
【課題を解決するための手段】
【００１２】
本発明は、上述した課題を解決したものであり、請求項１の発明は、複数のパケットを多重化して伝送するトランスポートストリーム多重化装置において、入力トランスポートストリームよりパケットの種類を検出するパケット種別判定部と、該入力トランスポートストリームから特定パケットを廃棄して出力するパケット廃棄制御部と、該パケット廃棄制御部の出力を一時的に保持するバッファメモリ部と、該バッファメモリ部の蓄積量を監視する記憶容量監視部と、該バッファメモリ部の出力を多重化する多重化制御部とを含み、前記パケット種別判定部と前記記憶容量監視部との出力によって、前記パケット廃棄制御部により前記特定パケットを廃棄するか否かを制御することを特徴とするトランスポートストリーム多重化装置である。なお、上記バッファメモリ部は、例えば多重化制御部の前段に設けられており、記憶容量監視部は、このバッファメモリの蓄積量を監視するバッファメモリの監視部である。
【００１３】
また、請求項２の発明は、前記パケット廃棄制御部が、前記記憶容量監視部による前記バッファメモリ部の蓄積量或いは残容量に応じて、受信機側での再生に支障を与えない特定パケットを該入力トランスポートストリームから廃棄することを特徴とする請求項１に記載のトランスポートストリーム多重化装置である。なお、再生に支障を与えないパケットとは一例としてヌルパケットがある。
【００１４】
また、請求項３の発明は、前記パケット種別判定部は、パケット識別子によりパケットの重要度を識別する手段であることを特徴とする請求項１または２に記載のトランスポートストリーム多重化装置である。
【発明の効果】
【００１５】
請求項１の発明では、複数のパケットを多重化して伝送するトランスポートストリーム多重化装置において、入力トランスポートストリームよりパケットの種類を検出するパケット種別判定部と、該入力トランスポートストリームから特定パケットを廃棄して出力するパケット廃棄制御部と、該パケット廃棄制御部の出力を一時的に保持するバッファメモリ部と、該バッファメモリ部の蓄積量を監視する記憶容量監視部と、該バッファメモリ部の出力を多重化する多重化制御部とを含み、前記パケット種別判定部と前記記憶容量監視部との出力によって、前記パケット廃棄制御部により特定パケットを廃棄するか否かを制御することを特徴とするトランスポートストリーム多重化装置であるので、パケット種別判定部にて、特定パケット、例えばヌルパケットを廃棄し、番組特定情報を含むパケットが廃棄されないようにし、かつ上記バッファメモリ部、即ちバッファメモリの蓄積量を監視しながら多重化を行って、同期化された複数番組ＴＳの破錠を回避するようにしたものであり、信頼性の高いＴＳ多重化装置を提供できる利点がある。
【００１６】
また、請求項２の発明では、前記パケット廃棄制御部は、前記記憶容量監視部による前記バッファメモリ部の蓄積量或いは残容量に応じて、受信機側での再生に支障を与えない特定パケットを該入力トランスポートストリームから廃棄することを特徴とする請求項１に記載のトランスポートストリーム多重化装置であり、記憶容量監視部にバッファメモリ部の蓄積量或いは残容量を監視し、その状態に応じてパケット廃棄制御部により再生に支障を与えないパケットを廃棄するようにしたものであり、信頼性の高いＴＳ多重化装置を提供できる。さらに、バッファメモリ部の蓄積量のレベルを数段階の閾値に設定して影響度の少ない特定パケットから順次廃棄するように制御するようにして一層信頼性を高めている。
【００１７】
また、請求項３の発明では、前記パケット種別判定部が、パケット識別子によりパケットの重要度を識別する手段であることを特徴とする請求項１または２に記載のトランスポートストリーム多重化装置であり、パケット識別子を判定することによって、そのパケットが映像、音声、或いはその他のデータであるか否かを判定することができるし、ヌルパケットはパケット識別子を識別することにより容易に判別することが可能であり、蓄積量に応じて廃棄したとしても受信側での再生に支障を与えることはない。また、パケット種別判定部にＰＣＲ検出部とＰＵＳＩ検出部とを含むようにして、ＰＣＲ及びＰＵＳＩを含むパケットを廃棄しないように制御することが可能であり、信頼性の高いトランスポートストリーム多重化装置を提供できる利点がある。
【００１８】
以上のように、本発明は、バッファメモリを使用してＴＳを多重化するトランスポートストリーム多重化装置であって、複数の単一ＴＳを多重化する際に、他の装置の故障、伝送路における障害や装置の操作ミスなどが発生したりして、入力ＴＳのビットレートが大きく変動したり、多重化装置のバッファメモリの容量に余裕がなくなった場合であっても、バッファメモリが溢れることを防止することができるので、多重化処理の出力ＴＳの破錠を回避することができる利点がある。
【００１９】
また、本発明は廃棄するパケットを識別することにより、受信装置が正常なＴＳを受信たならば速やかに復帰できる効果を有するとともに、簡単な構成により、小規模の追加構成で本発明を実施することが可能であり、現用の回路にも有用であるという効果を有する。
【発明を実施するための最良の形態】
【００２０】
以下、本発明に係るトランスポートストリーム多重化装置の実施の形態について図面を参照して説明する。図１は、本発明の実施形態を示すブロック図であり、図中に一例としてバッファメモリ部を蓄積容量監視のための数段階の閾値を示した図を例示した。
【００２１】
まず、図１において、入力端子ＩＮにはトランスポートストリーム信号（ＴＳ信号：入力ＴＳ）が入力される。ＴＳ信号はＭＰＥＧで規格された信号である。入力ＴＳが入力されるパケット種別判定部１と、パケット廃棄制御部５とが設けられ、パケット種別判定部１には、ヌルパケット検出部２、ＰＵＳＩ（ｐａｙｌｏａｄ  ｕｎｉｔ  ｓｔａｒｔ  ｉｎｄｉｃａｔｏｒ：ペイロードユニット開始指示）検出部３、ＰＣＲ（Ｐｒｏｇｒａｍ  Ｃｌｏｃｋ  Ｒｅｆｅｒｅｎｃｅ：受信機側時刻参照値，基準クロック）検出部４を含む。パケット廃棄制御部５は、ヌルパケット検出部２、ＰＵＳＩ検出部３，ＰＣＲ検出部４およびバッファメモリ監視部６からの判定結果を得て、特定パケットの廃棄処理を行う。バッファメモリ７はパケット廃棄制御部５の出力を一時的に蓄える。バッファメモリ監視部６は、バッファメモリ７の蓄積容量を監視してその情報をパケット廃棄制御部５に送る。多重化制御部９は、バッファメモリ７の蓄積されたパケットを読み出して多重化処理を行う。ヌルパケット生成部８は、ＰＩＤが「０ｘ１ＦＦＦ」のパケットを多重化制御部９の指示により生成して多重化制御部９に供給する。多重化制御部９は、出力ビットレートを調整するための、ヌルパケット生成部８から供給されるヌルパケットとともに、バッファメモリ部７に蓄えられたパケットを多重化して出力ＴＳを出力する。多重化制御部９では単一番組ＴＳが複数入力されて多重化されて出力される。
【００２２】
パケット種別判定部１は、ヌルパケット検出部２、ＰＵＳＩ検出部３、ＰＣＲ検出部４が含まれており、ヌルパケット検出部２は、入力ＴＳパケットのＰＩＤが「０ｘ１ＦＦＦ」に一致する場合は、そのＴＳパケットがヌルパケットであると判定しその結果をパケット廃棄制御部５に出力する。ＰＵＳＩ検出部３では、入力ＴＳパケットのＰＵＳＩが「１」か否かを判定しその結果をパケット廃棄制御部５に出力する。因みに、ＰＵＳＩはＭＰＥＧ方式でＰＳＩまたはＰＥＳ（Ｐａｃｋｅｔｉｚｅｄ  Ｅｌｅｍｅｎｔａｒｙ  Ｓｔｒｅａｍ）の先頭を含む場合に１にするように規定している。ＰＣＲ検出部４は入力ＴＳにＰＣＲが含まれているか否かを判定しその結果をパケット廃棄制御部５に出力する。パケット廃棄制御部５では、ヌルパケット検出部２、ＰＵＳＩ検出部３，ＰＣＲ検出部４およびバッファメモリ監視部６からの判定結果を得て、再生に支障がないＴＳパケットを廃棄する。
【００２３】
さらに、本発明の実施形態について詳細に説明する。ＭＰＥＧ−２により符号化されたＴＳが入力端子ＩＮより入力されて、パケット識別判定部１とパケット廃棄制御部５に入力される。因みに、ＴＳは、１８８バイトのＴＳパケット（ヘッダとペイロード）から構成されており、ＴＳパケットには様々なパケットが存在し、例えば、映像、音声、データ、番組情報等がパケット化されており、ＴＳパケットには、パケット識別子のＰＩＤ、ユニット開始表示のＰＵＳＩ、基準クロックのＰＣＲ、同期バイトなどが格納されるフィールドがある。
【００２４】
入力ＴＳは、パケット廃棄制御部５と並行してパケット種別判定部１に入力され、さらに、パケット種別判定部１のヌルパケット検出部２、ＰＵＳＩ検出部３、ＰＣＲ検出部４にそれぞれ並行して入力される。従って、ヌルパケット検出部２では、入力ＴＳパケットのＰＩＤが「０ｘ１ＦＦＦ」に一致するか否かを判別し、ＰＵＳＩ検出部３では入力パケットのＰＵＳＩが「１」か否かを判別し、ＰＣＲ検出部４では入力ＴＳにＰＣＲが含まれているかどうかを同時に判定することが可能であり、それらの結果はパケット廃棄制御部５に入力されて、廃棄されるＴＳパケット候補が瞬時に検出することができる。先に説明したように、ＭＰＥＧ方式では、ＰＳＩまたはＰＥＳが先頭に含む場合、ＰＵＳＩが「１」とするように規定しており、ＰＵＳＩ検出部３では、ヘッダの先頭から１０ビット目の値が「１」であるかい否かを検出することにより、ＰＳＩまたはＰＥＳを含むＴＳパケットであるか否かを検出することができるので、廃棄候補のＴＳパケットの検出が高速になし得る。なお、パケット種別判定部１の例として並行入力を挙げたが、これに限定されるものではない。
【００２５】
このように、本発明のパケット種別判定部１では、ＴＳパケットが番組特定情報であるか否かを判定できるＰＳＩを、多重化する前の最初の段階で参照することができるので、パケット種別判定部１による廃棄処理を行うＴＳパケットの検出が簡単に実行でき、しかも高速でなし得る。なお、ＰＡＴはＰＩＤが「０ｘ００００」か否かで容易に識別できるし、同様にＰＥＳの先端にはＰＥＳヘッダやＥＳ毎の情報が含まれるヘッダが存在しており、これらのヘッダから映像、音声やその他のデータを復号するための重要な情報が得られる。
【００２６】
また、ＰＳＩや各種ヘッダが含まれていても先頭（パケット開始コード）が含まれていないパケットでは、ＰＵＳＩが「１」でない場合もある。このような場合、先頭が含まれていないものの中で単一番組ＴＳを再生するのに必要な情報、即ち重要度が高いパラメータを含むＴＳパケットを識別するためには、ＰＵＳＩが「１」であるパケットのＰＩＤを記憶しておき、そのＰＩＤと一致するパケットは重要であると判定することができる。さらに、他のフラグ（ａｄａｐｔａｔｉｏｎ  ｆｉｅｌｄ  ｃｏｎｔｔｒｏｌ、ｔａｂｌｅ  ｉｄ）などを組み合わせることで確実に重要度の高いＴＳパケットを識別することができる。即ち、パケット種別判定部１は、このような判定方法による検出手段を構成することできる。
【００２７】
また、ＰＣＲ検出部４は、入力ＴＳにＰＣＲが含まれているかどうかを判定しその結果を出力する。ＰＣＲが含まれているか否かは、アダプテーション・フィールド制御（ａｄａｐｔａｔｉｏｎ  ｆｉｅｌｄ  ｃｏｔｒｏｌ）とアダプテーション・フィールド長（ａｄａｐｔａｔｉｏｎ  ｆｉｅｌｄ  ｌｅｎｇｔｈ）とＰＣＲ  ｆｌａｇとから判定することができる。アダプテーション・フィールド制御が「０１」あるいは「１１」、かつ、アダプテーション・フィールド長が「７」以上、かつＰＣＲ  ｆｌａｇが「１」であるならばＰＣＲが含まれると判定できる。なお、ＰＣＲは符号化器のシステムクロックを復号器で再生できるようなクロック情報を含むため重要なパケットである。ＰＣＲのＰＩＤはＰＭＴに記述されているため、通常はＰＳＩの解析が必要となるが、本発明では、パケット種別判定部１による検出手段により容易に識別できる。
【００２８】
バッファメモリ監視部６は、バッファメモリ部７の蓄積量に応じた閾値を上限だけでなく、図１に示したように、複数の閾値を設けて蓄積量を判定するようになされている。例えば、バッファメモリの最大容量をＢｍａｘとすると、閾値ＡはＡ＝Ｂｍａｘ×１／４、閾値ＢはＢ＝Ｂｍａｘ×２／４、閾値ＣはＣ＝Ｂｍａｘ×３／４（上限）とする。バッファメモリ監視部６はパケット廃棄制御部５に対してこの閾値情報を出力する。
【００２９】
パケット廃棄制御部５は、バッファメモリ監視部６からの閾値情報を基にして、ヌルパケット検出部２、ＰＵＳＩ検出部３およびＰＣＲ検出部４からの出力情報に基づいて、ＴＳパケットから廃棄候補を特定して特定パケットを廃棄することができる。
【００３０】
パケット廃棄制御部５では、バッファメモリ部７の蓄積量が閾値Ａを超えた場合、ヌルパケット検出器２によりヌルパケットと判定されたパケットを廃棄する。出力ビットレートより入力ビットレートが高い場合には、バッファメモリ部７に蓄積されたパケットが増加して閾値Ａを超えるためにヌルパケットは廃棄される。しかし、ヌルパケットには有効な情報は含まれていないので映像や音声などに障害を発生させることなく、バッファメモリ部７のオーバーフローを回避することができる。
【００３１】
また、出力ビットレートより入力ビットレートがさらに高い場合には、バッファメモリ部７の蓄積量が閾値Ｂを超える。このような場合には、ＰＵＳＩ検出部３とＰＣＲ検出部４から判定結果を得て、ＰＵＳＩを含まずかつＰＣＲを含まないパケットを廃棄する。このとき廃棄されるパケットが映像や音声のパケットであれば映像や音声の障害が発生するが、重要度の高いＰＥＳヘッダやＰＳＩあるいはＰＣＲが含まれるパケットではないため、障害を最小限に抑えることができる。また、受信側で復帰処理を行わなければならなくなったとしても、ＰＳＩ、ＰＣＲまたはＰＥＳヘッダが含まれるパケットは廃棄されることなく存在しているので、即座に取得することが可能であり復帰も速やかに行われる。
【００３２】
一方、ＰＳＩ、ＰＣＲまたはＰＥＳヘッダが含まれるパケットは、他の映像や音声などのパケットのビットレートが通常は数Ｍｂｐｓであるのに比べ、数ｋｂｐｓから数十ｋｂｐｓと桁違いに低い。このことから、出力ビットレートより入力ビットレートが大幅に高いとしてもＰＳＩ、ＰＣＲまたはＰＥＳヘッダが含まれないパケットが多く廃棄され、逆にＰＳＩ、ＰＣＲまたはＰＥＳヘッダが含まれるパケットは保存されることになり、受信側での再生に充分な効果がある。
【００３３】
また、バッファメモリ部７の蓄積量が閾値Ｃ（上限）を超える場合には、バッファメモリ部７および多重化処理の破錠を回避するためにパケットの種類にかかわらず廃棄することになる。
【００３４】
多重化制御部９は、バッファメモリ部７にパケットが蓄えられていればそのパケットを読み出して出力端子ＯＵＴより出力する。バッファメモリ部７にパケットが蓄えられていなければ、ヌルパケット生成部８からヌルパケットを多重化制御部９に出力する。このときの読み出しは出力ビットレート入力端子１０より入力されたビットレートに応じて行う。
【００３５】
本発明では、上述のようにして、ＴＳのＴＳパケットを多重化する前に識別して、ＴＳパケットの重要度を判定し、かつバッファメモリ部の蓄積量を検出してそのＴＳパケットの重要度に応じて、廃棄するか否かを判定して複数の単一番組ＴＳを多重化することができる。
【００３６】
また、本発明は、バッファメモリを使用したレート変換装置などでパケットを廃棄制御する場合にも有効である。
【産業上の利用可能性】
【００３７】
本発明は、デジタル放送、例えばデジタルテレビ放送、地上デジタル放送、デジタル衛星放送、１１０度ＣＳ放送等に利用することができる。
【図面の簡単な説明】
【００３８】
【図１】本発明に係るトランスポートストリーム多重化装置の一実施形態を示すブロック図であり、バッファメモリ部の説明図を含む。
【図２】従来のトランスポートストリーム多重化装置の一例を示すブロック図であり、バッファメモリ部の説明図を含む。
【符号の説明】
【００３９】
１  パケット種別判定部
２  ヌルパケット検出部
３  ＰＵＳＩ検出部
４  ＰＣＲ検出部
５  パケット廃棄制御部
６  バッファメモリ監視部
７  バッファメモリ部
８  ヌルパケット生成部
９  多重化制御部
１０  出力ビットレートの入力端子
ＩＮ  入力ＴＳの入力端子
ＯＵＴ  出力ＴＳの出力端子
【図１】
2005136460.tif 000003
【図２】
2005136460.tif 000004